(57)【要約】【課題】基板のスルーホールの位置のずれを許容しつつ、互いに対向した状態で配置された一方の基板と他方の基板とを安定した状態で導通接続させることができる基板間接続コネクタを提供する。【解決手段】端子部１６におけるプレスフィット部１６Ａとプレスフィット部１６Ｅとの間に弾性変形部１６Ｃが設けられている。そして、弾性変形部１６Ｃが弾性変形することでプレスフィット部１６Ａとプレスフィット部１６Ｅとのプレスフィット部１６Ａの圧入方向と交差する方向の相対変位が許容されている。このため、基板１８のスルーホール６４の位置が正規の位置からずれた状態になっていても、プレスフィット部１６Ａがスルーホール６４の位置に対応してプレスフィット部１６Ｅに対して相対変位することで、プレスフィット部１６Ａの圧入時に端子部１６に負荷がかかることを抑制することができる。【選択図】図１
2019021414.tif 000002
【特許請求の範囲】
【請求項１】
一方側の端部に設けられ、一方の基板のスルーホールに挿入可能な挿入部と当該挿入部と連続して設けられて当該スルーホールに圧入可能な圧入部とを含んで構成されたプレスフィット部と、他方側の端部に設けられ、他方の基板のスルーホールに当該プレスフィット部の圧入方向と同じ方向に接続可能とされた接続部と、を備えた端子部と、
前記端子部における前記プレスフィット部側の部分を保持する第１ハウジング部と、
前記第１ハウジング部の前記接続部側に配置されて前記端子部における当該接続部側の部分を保持する第２ハウジング部と、
を備え、
前記端子部における前記プレスフィット部と前記接続部との間には、弾性変形することで当該プレスフィット部と当該接続部との前記圧入方向と交差する方向の相対変位を許容する弾性変形部が設けられており、当該弾性変形部が弾性変形することで前記第１ハウジング部と前記第２ハウジング部とが前記圧入方向と交差する方向に相対変位可能とされている、
基板間接続コネクタ。
【請求項２】
前記端子部における前記プレスフィット部の前記接続部側には、当該プレスフィット部側からの荷重の入力時に前記第１ハウジング部に形成された支持部によって支持される被支持部が設けられており、
前記第１ハウジング部は、前記被支持部から前記支持部に前記荷重が入力されたときに前記第２ハウジング部に当接可能とされており、
前記第２ハウジング部の前記第１ハウジング部と反対側の端部は、当該第１ハウジング部側から前記荷重が入力されたときに前記他方の基板によって支持可能とされている、
請求項１に記載の基板間接続コネクタ。
【請求項３】
前記第１ハウジング部は、前記被支持部が納まり、かつ前記圧入方向と交差する方向に開放された一側キャビティ部が形成された本体部と、当該本体部における当該一側キャビティ部が設けられている側を覆うカバー部と、を含んで構成され、
前記一側キャビティ部における前記接続部側の内壁部が前記支持部とされており、
前記カバー部には、前記一側キャビティ部を前記圧入方向と交差する方向から閉塞し、前記被支持部の当該圧入方向と交差する方向の変位を規制する閉塞部が設けられている、
請求項２に記載の基板間接続コネクタ。
【請求項４】
前記本体部の前記第２ハウジング部側の端部及び前記カバー部の当該第２ハウジング部側の端部は、前記第１ハウジング部に前記荷重が入力されたときに前記第２ハウジング部に当接可能とされている、
請求項３に記載の基板間接続コネクタ。
【請求項５】
前記カバー部には、係合部が形成され、
前記本体部には、前記係合部が前記圧入方向に挿入されて係合される被係合部が形成されており、
前記係合部が前記被係合部に係合されることで前記本体部と前記カバー部との前記圧入方向と交差する方向の変位が規制されている、
請求項３又は請求項４に記載の基板間接続コネクタ。
【請求項６】
前記弾性変形部は、厚さ方向の寸法が幅方向の寸法よりも短い寸法とされた板状とされており、
前記弾性変形部は、前記接続部側を構成し、かつ厚さ方向を前記圧入方向とされて当該圧入方向から見て当該圧入方向と交差する方向に延びる第１片部と、当該第１片部と連続し、かつ厚さ方向を当該圧入方向と直交する方向とされて前記プレスフィット部側に向かって延びる第２片部と、を含んで構成されている、
請求項１〜請求項５の何れか１項に記載の基板間接続コネクタ。
【請求項７】
前記第１ハウジング部の内側には、前記弾性変形部が納まる他側キャビティ部が形成されており、
前記他側キャビティ部の大きさは、前記弾性変形部の弾性変形を許容可能な大きさに設定されている、
請求項１〜請求項６の何れか１項に記載の基板間接続コネクタ。
【請求項８】
一方側の端部に設けられ、一方の基板のスルーホールに挿入可能な挿入部と当該挿入部と連続して設けられて当該スルーホールに圧入可能な圧入部とを含んで構成されたプレスフィット部と、他方側の端部に設けられ、他方の基板のスルーホールに当該プレスフィット部の圧入方向と同じ方向に挿通されて当該他方の基板に半田付け可能とされたリード部と、を備えた端子部と、
前記端子部における前記プレスフィット部側の部分を保持するハウジング部と、
を備え、
前記端子部における前記プレスフィット部と前記リード部との間には、弾性変形することで当該プレスフィット部と当該リード部との前記圧入方向と交差する方向の相対変位を許容する弾性変形部が設けられている、
基板間接続コネクタ。
【発明の詳細な説明】
【技術分野】
【０００１】
本発明は、基板間接続コネクタに関する。
【背景技術】
【０００２】
下記特許文献１には、両端プレスフィット用コネクタに関する発明が開示されている。この両端プレスフィット用コネクタは、両端部にプレスフィット部が設けられた複数のプレスフィット端子と、これらのプレスフィット端子が固定された絶縁ハウジングとを含んで構成されている。このため、プレスフィット端子の一方側のプレスフィット部を一方の基板のスルーホールに圧入し、プレスフィット端子の他方側のプレスフィット部を他方の基板のスルーホールに圧入することで、これらの基板を互いに対向した状態で導通接続させることができる。
【先行技術文献】
【特許文献】
【０００３】
【特許文献１】特開２００８−５３０９０号公報
【発明の概要】
【発明が解決しようとする課題】
【０００４】
ところで、上記先行技術では、一方のプレスフィット部と他方のプレスフィット部とを繋ぐ部分が絶縁ハウジングに固定されており、一方の基板のスルーホールに一方のプレスフィット部が固定されると他方のプレスフィット部の位置も固定されることとなる。また、上記先行技術では、一方の基板のスルーホールに一方のプレスフィット部が圧入された後に、他方の基板のスルーホールと他方のプレスフィット部とが位置合わせされた状態で他方の基板のスルーホールに他方のプレスフィット部が圧入されるようになっている。
【０００５】
ここで、上記先行技術では、他方の基板のスルーホールと他方のプレスフィット部とが位置決めされた状態において、このスルーホールの位置が正規の位置からずれた状態となっていることが考えられる。この場合、他方の基板のスルーホールの位置が正規の位置となるように、この基板を配置した後に、他方のプレスフィット部がこのスルーホールに圧入されることとなる。そして、上記先行技術では、他方の基板のスルーホールの位置に応じて他方のプレスフィット部を変位させることができないため、この基板のスルーホールにこのプレスフィット部が圧入されるときにプレスフィット端子に負荷がかかることが考えられる。つまり、上記先行技術は、基板のスルーホールの位置のずれを許容しつつ、互いに対向した状態で配置された一方の基板と他方の基板とを安定した状態で導通接続させるという点において改善の余地がある。
【０００６】
本発明は上記事実を考慮し、基板のスルーホールの位置のずれを許容しつつ、互いに対向した状態で配置された一方の基板と他方の基板とを安定した状態で導通接続させることができる基板間接続コネクタを提供することを目的とする。
【課題を解決するための手段】
【０００７】
第一の態様に係る基板間接続コネクタは、一方側の端部に設けられ、一方の基板のスルーホールに挿入可能な挿入部と当該挿入部と連続して設けられて当該スルーホールに圧入可能な圧入部とを含んで構成されたプレスフィット部と、他方側の端部に設けられ、他方の基板のスルーホールに当該圧入部の圧入方向と同じ方向に接続可能とされた接続部と、を備えた端子部と、前記端子部における前記プレスフィット部側の部分を保持する第１ハウジング部と、前記第１ハウジング部の前記接続部側に配置されて前記端子部における当該接続部側の部分を保持する第２ハウジング部と、を備え、前記端子部における前記プレスフィット部と前記接続部との間には、弾性変形することで当該プレスフィット部と当該接続部との前記圧入方向と交差する方向の相対変位を許容する弾性変形部が設けられており、当該弾性変形部が弾性変形することで前記第１ハウジング部と前記第２ハウジング部とが前記圧入方向と交差する方向に相対変位可能とされている。
【０００８】
第一の態様に係る基板間接続コネクタでは、一方側の端部にプレスフィット部が設けられていると共に他方側の端部に接続部が設けられた端子部と、第１ハウジング部と、第２ハウジング部とを備えている。また、第１ハウジング部は、端子部におけるプレスフィット部側の部分を保持しており、第２ハウジング部は、第１ハウジング部の接続部側に配置されて当該端子部における当該接続部側の部分を保持している。
【０００９】
そして、本態様では、プレスフィット部の圧入部を一方の基板のスルーホールに圧入し、他方の基板のスルーホールに接続部を当該圧入部の圧入方向と同じ方向に接続することで、これらの基板を互いに対向した状態で導通接続させることができる。
【００１０】
ところで、他方の基板のスルーホールに接続部を接続してから一方の基板のスルーホールにプレスフィット部を圧入する場合、プレスフィット部の挿入部を一方の基板のスルーホールに挿入して、当該プレスフィット部と一方の基板との位置合わせが行われる。このとき、一方の基板のスルーホールの位置が正規の位置からずれた状態になっていると、当該スルーホールにプレスフィット部を圧入するときに、端子部に負荷がかかることが考えられる。
【００１１】
ここで、本態様では、端子部におけるプレスフィット部と接続部との間に弾性変形部が設けられており、当該弾性変形部が弾性変形することで当該プレスフィット部と当該接続部とのプレスフィット部の圧入方向と交差する方向の相対変位が許容されている。このため、一方の基板のスルーホールの位置が正規の位置からずれた状態になっていても、プレスフィット部が当該スルーホールの位置に対応して接続部に対して相対変位することで、当該プレスフィット部の圧入時に端子部に負荷がかかることを抑制することができる。
【００１２】
また、本態様では、弾性変形部が弾性変形することで第１ハウジング部と第２ハウジング部とがプレスフィット部の圧入方向と交差する方向に相対変位可能とされている。このため、プレスフィット部と接続部とが相対変位しても第１ハウジング部及び第２ハウジング部による端子部の保持状態を維持することができる。
【００１３】
第二の態様に係る基板間接続コネクタは、第一の態様において、前記端子部における前記プレスフィット部の前記接続部側には、当該プレスフィット部側からの荷重の入力時に前記第１ハウジング部に形成された支持部によって支持される被支持部が設けられており、前記第１ハウジング部は、前記被支持部から前記支持部に前記荷重が入力されたときに前記第２ハウジング部に当接可能とされており、前記第２ハウジング部の前記第１ハウジング部と反対側の端部は、当該第１ハウジング部側から前記荷重が入力されたときに前記他方の基板によって支持可能とされている。
【００１４】
第二の態様に係る基板間接続コネクタでは、端子部におけるプレスフィット部の接続部側に被支持部が設けられている。一方、第１ハウジング部には、支持部が形成されており、プレスフィット部側からの荷重の入力時において、端子部の被支持部が当該支持部によって支持されるようになっている。このため、プレスフィット部を一方の基板に圧入するときに、当該一方の基板をプレスフィット部に向けて押圧する荷重を第１ハウジング部の支持部によって支持することができる。
【００１５】
ところで、一方の基板をプレスフィット部に向けて押圧するとき、第１ハウジング部を支持するものがないと当該プレスフィット部を当該一方の基板のスルーホールに圧入することができない。つまり、プレスフィット部を一方の基板のスルーホールに圧入するときには、第１ハウジング部における当該一方の基板の反対側を例えば治具等で一時的に支持する必要がある。しかしながら、上記のように治具を用いる場合には、当該治具を配置するためのスペースが必要となり、さらには当該治具を配置することによって作業工数が増加することが考えられる。
【００１６】
ここで、本態様では、端子部の被支持部から第１ハウジング部の支持部にプレスフィット部側からの荷重が入力されたときに、当該第１ハウジング部が第２ハウジング部に当接可能とされており、当該第１ハウジング部から当該第２ハウジング部に当該荷重を伝達させることができる。また、第２ハウジング部の第１ハウジング部と反対側の端部は、当該第１ハウジング部を介してプレスフィット部側からの荷重が入力されたときに、他方の基板によって支持可能とされている。
【００１７】
このため、本態様では、一方の基板をプレスフィット部に向けて押圧する荷重を、第１ハウジング部及び第２ハウジング部を介して他方の基板で支持することができる。その結果、本態様では、プレスフィット部の圧入に治具が必要な構成と比し、配置箇所に対する汎用性を高めることができると共に、作業工数の増加を抑制することができる。
【００１８】
第三の態様に係る基板間接続コネクタは、第二の態様において、前記第１ハウジング部は、前記被支持部が納まり、かつ前記圧入方向と交差する方向に開放された一側キャビティ部が形成された本体部と、当該本体部における当該一側キャビティ部が設けられている側を覆うカバー部と、を含んで構成され、前記一側キャビティ部における前記接続部側の内壁部が前記支持部とされており、前記カバー部には、前記一側キャビティ部を前記圧入方向と交差する方向から閉塞し、前記被支持部の当該圧入方向と交差する方向の変位を規制する閉塞部が設けられている。
【００１９】
第三の態様に係る基板間接続コネクタでは、第１ハウジング部が、本体部とカバー部とを含んで構成されており、当該本体部には、プレスフィット部の圧入方向と交差する方向に開放された一側キャビティ部が形成されている。この一側キャビティ部には、端子部の被支持部が納まっており、当該一側キャビティ部の接続部側の内壁部が、支持部として機能している。一方、カバー部は、本体部における一側キャビティ部が設けられている側を覆っており、当該カバー部には、閉塞部が設けられている。この閉塞部は、一側キャビティ部をプレスフィット部の圧入方向と交差する方向から閉塞しており、当該閉塞部によって被支持部におけるプレスフィット部の圧入方向と交差する方向の変位が規制されている。
【００２０】
このため、本態様では、端子部におけるプレスフィット部側の部分を第１ハウジング部に圧入することなく、当該部分を第１ハウジング部に固定することができる。その結果、製造時において、第１ハウジング部と第２ハウジング部との間に治具を介在させて、当該治具を用いて端子部におけるプレスフィット部側の部分を第１ハウジング部に圧入するような構成と比し、第１ハウジング部と第２ハウジング部との間隔を狭めることができる。
【００２１】
ところで、製造時に治具を用いて端子部におけるプレスフィット部側の部分を第１ハウジング部に圧入するような構成では、第１ハウジング部と第２ハウジング部との間隔が大きくなる。そして、第１ハウジング部と第２ハウジング部との間隔が大きいと、プレスフィット部を一方の基板のスルーホールに圧入するときに、第１ハウジング部が第２ハウジング部に当接するまでの端子部における弾性変形部の変形量が大きくなり、当該弾性変形部が塑性変形することが考えられる。
【００２２】
この点、本態様では、第１ハウジング部と第２ハウジング部との間隔を狭めることで、プレスフィット部を一方の基板のスルーホールに圧入するときに、弾性変形部の変形量を小さくし、ひいては当該弾性変形部の塑性変形を抑制することができる。
【００２３】
第四の態様に係る基板間接続コネクタは、第三の態様において、前記本体部の前記第２ハウジング部側の端部及び前記カバー部の当該第２ハウジング部側の端部は、前記第１ハウジング部に前記荷重が入力されたときに前記第２ハウジング部に当接可能とされている。
【００２４】
第四の態様に係る基板間接続コネクタでは、第１ハウジング部にプレスフィット部側からの荷重が入力されたときに、本体部の第２ハウジング部側の端部及びカバー部の当該第２ハウジング部側の端部が、当該第２ハウジング部に当接可能とされている。このため、プレスフィット部を一方の基板のスルーホールに圧入するときに入力される一方の基板への押圧力を、第１ハウジング部の本体部とカバー部とに分散させて第２ハウジング部に伝達させることができる。
【００２５】
第五の態様に係る基板間接続コネクタは、第三の態様又は第四の態様において、前記カバー部には、係合部が形成され、前記本体部には、前記係合部が前記圧入方向に挿入されて係合される被係合部が形成されており、前記係合部が前記被係合部に係合されることで前記本体部と前記カバー部との前記圧入方向と交差する方向の変位が規制されている。
【００２６】
第五の態様に係る基板間接続コネクタでは、第１ハウジング部のカバー部には、係合部が形成されており、一方、第１ハウジング部の本体部には、当該係合部がプレスフィット部の圧入方向に係合される被係合部が形成されている。そして、係合部が被係合部に係合されることで本体部とカバー部とのプレスフィット部の圧入方向と交差する方向の変位が規制されている。このため、本態様では、端子部の弾性変形部が弾性変形することで当該端子部の被支持部が変位してカバー部の閉塞部を押圧しても、当該カバー部と本体部との係合状態を維持することができる。
【００２７】
第六の態様に係る基板間接続コネクタは、第一の態様〜第五の態様の何れか一態様において、前記弾性変形部は、厚さ方向の寸法が幅方向の寸法よりも短い寸法とされた板状とされており、前記弾性変形部は、前記接続部側を構成し、かつ厚さ方向を前記圧入方向とされて当該圧入方向から見て当該圧入方向と交差する方向に延びる第１片部と、当該第１片部と連続し、かつ厚さ方向を当該圧入方向と直交する方向とされて前記プレスフィット部側に向かって延びる第２片部と、を含んで構成されている。
【００２８】
第六の態様に係る基板間接続コネクタでは、端子部の弾性変形部が、その厚さ方向の寸法がその幅方向の寸法よりも短い寸法とされた板状とされている。また、弾性変形部は、その接続部側の部分を構成し、かつプレスフィット部の圧入方向から見て当該圧入方向と交差する方向に延びる第１片部と、当該第１片部と連続し、かつプレスフィット部側に向かって延びる第２片部とを含んで構成されている。
【００２９】
ところで、一方の基板のスルーホールの位置が正規の位置からずれていた場合、プレスフィット部の位置を当該スルーホールの位置に対応させるにあたって、当該プレスフィット部に当該プレスフィット部の圧入方向を軸とする捻れが発生することが考えられる。そして、この捻れによって端子部に負荷がかかることが考えられる。
【００３０】
ここで、本態様では、第１片部が、その厚さ方向をプレスフィット部の圧入方向とされており、第２片部が、その厚さ方向を当該圧入方向と直交する方向とされている。このため、プレスフィット部に入力される当該プレスフィット部の圧入方向回りのモーメントに対して、第１片部は変形しにくく、第２片部は変形しやすくなっており、当該プレスフィット部に当該モーメントが入力されると当該第１片部よりも当該第２片部の方が大きく曲げ変形する。
【００３１】
その結果、弾性変形部は、プレスフィット部の圧入方向回りのモーメントによって、当該プレスフィット部の圧入方向から見て、当該プレスフィット部が第１片部と第２片部との境界部を中心として回動するように弾性変形する。したがって、本態様では、プレスフィット部に発生する当該プレスフィット部の圧入方向を軸とする捻れを、弾性変形部の弾性変形によって吸収することができる。
【００３２】
第七の態様に係る基板間接続コネクタは、第一の態様〜第六の態様の何れか一態様において、前記第１ハウジング部の内側には、前記弾性変形部が納まる他側キャビティ部が形成されており、前記他側キャビティ部の大きさは、前記弾性変形部の弾性変形を許容可能な大きさに設定されている。
【００３３】
第七の態様に係る基板間接続コネクタでは、第１ハウジング部の内側に端子部の弾性変形部が納まる他側キャビティ部が形成されている。このため、弾性変形部が第１ハウジング部によって保護され、作業者の指等による外力によって当該弾性変形部に負荷がかかることを抑制することができる。また、他側キャビティ部の大きさは、弾性変形部の弾性変形を許容可能な大きさに設定されており、第１ハウジング部によって弾性変形部の変形が規制されることを抑制することができる。
【００３４】
第八の態様に係る基板間接続コネクタは、一方側の端部に設けられ、一方の基板のスルーホールに挿入可能な挿入部と当該挿入部と連続して設けられて当該スルーホールに圧入可能な圧入部とを含んで構成されたプレスフィット部と、他方側の端部に設けられ、他方の基板のスルーホールに当該プレスフィット部の圧入方向と同じ方向に挿通されて当該他方の基板に半田付け可能とされたリード部と、を備えた端子部と、前記端子部における前記プレスフィット部側の部分を保持するハウジング部と、を備え、前記端子部における前記プレスフィット部と前記リード部との間には、弾性変形することで当該プレスフィット部と当該リード部との前記圧入方向と交差する方向の相対変位を許容する弾性変形部が設けられている。
【００３５】
第八の態様に係る基板間接続コネクタは、第一の態様に係る基板間接続コネクタと基本的に同様の作用を奏するものの、以下の点で異なっている。すなわち、本態様では、端子部の一方側の端部に一方の基板のスルーホールに圧入可能なプレスフィット部が設けられており、当該端子部における当該プレスフィット部側の部分がハウジング部で保持されている。一方、端子部の他方側の端部には、リード部が設けられており、当該リード部は、他方の基板のスルーホールにプレスフィット部の圧入方向と同じ方向に挿通されて当該他方の基板に半田付けされることで、当該他方の基板で保持されるようになっている。
【００３６】
そして、本態様では、端子部におけるプレスフィット部とリード部との間に設けられた弾性変形部が弾性変形することで当該プレスフィット部と当該リード部とのプレスフィット部の圧入方向と交差する方向の相対変位が許容されている。このため、一方の基板のスルーホールの位置が正規の位置からずれた状態になっていても、プレスフィット部が当該スルーホールの位置に対応してリード部に対して相対変位することで、当該プレスフィット部の圧入時に端子部に負荷がかかることを抑制することができる。また、本態様では、このように弾性変形部が弾性変形することで、ハウジング部を他方の基板に対して相対変位させることができる。
【発明の効果】
【００３７】
以上説明したように、本発明に係る基板間接続コネクタは、基板のスルーホールの位置のずれを許容しつつ、互いに対向した状態で配置された一方の基板と他方の基板とを安定した状態で導通接続させることができるという優れた効果を有する。
【図面の簡単な説明】
【００３８】
【図１】第１実施形態に係る基板間接続コネクタの構成を示す断面図（図１１の１−１線に沿って切断した状態を示す断面）である。
【図２】第１実施形態に係る基板間接続コネクタの端子部の構成を示す側面図（図１１の２方向矢視図）である。
【図３】第１実施形態に係る基板間接続コネクタの端子部の構成を示す拡大断面図（図２の３−３線に沿って切断した状態を示す断面）である。
【図４】第１実施形態に係る基板間接続コネクタの第１ハウジング部の構成を示す拡大断面図（図１１の４−４線に沿って切断した状態を示す断面）である。
【図５】第１実施形態に係る基板間接続コネクタの第１ハウジング部の一部を構成するカバー部の構成を示す背面図（図１１の５方向矢視図）である。
【図６】第１実施形態に係る基板間接続コネクタの第１ハウジング部の一部を構成するカバー部の構成を示す平面図（図１１の６方向矢視図）である。
【図７】第１実施形態に係る基板間接続コネクタの構成を示す断面図（図１１の７−７線に沿って切断した状態を示す断面）である。
【図８】第１実施形態に係る基板間接続コネクタの第１ハウジング部の一部を構成する本体部の構成を示す平面図（図１１の８方向矢視図）である。
【図９】第１実施形態に係る基板間接続コネクタの第１ハウジング部の一部を構成する本体部の構成を示す正面図（図１１の９方向矢視図）である。
【図１０】第１実施形態に係る基板間接続コネクタの構成を示す側面図（図１１の１０方向矢視図）である。
【図１１】第１実施形態に係る基板間接続コネクタの構成を示す斜視図である。
【図１２】第２実施形態に係る基板間接続コネクタの構成を示す斜視図である。
【発明を実施するための形態】
【００３９】
＜第１実施形態＞
以下、図１〜図１１を用いて、本発明の第１実施形態に係る基板間接続コネクタとして「コネクタ１０」ついて説明する。なお、各図に適宜示される矢印Ｘはコネクタ前方側を示しており、矢印Ｙはコネクタ幅方向一方側（左側）を示しており、矢印Ｚはコネクタ上方側を示している。なお、これらの方向は説明の便宜上用いられるものであり、実装時等におけるコネクタ１０の姿勢を絶対的に規定するものではない。
【００４０】
図１０及び図１１に示されるように、コネクタ１０は、「第１ハウジング部１２」、「第２ハウジング部１４」及び複数（本実施形態では、一例として５本）の「端子部１６」を含んで構成されている。そして、詳しくは後述するが、コネクタ１０によって、一方の基板としての「基板１８」と他方の基板としての「基板２０」とを導通接続させることが可能となっている（図１参照）。
【００４１】
第１ハウジング部１２は、その主な部分を構成する「本体部２２」と、当該本体部２２と別体とされて当該本体部２２のコネクタ後方側に配置された「カバー部２４」とを含んで、合成樹脂等の絶縁体で構成されている。また、第１ハウジング部１２の外形は、コネクタ上下方向から見てコネクタ幅方向を長手方向とされた矩形状で、かつコネクタ幅方向から見てコネクタ上下方向を長手方向とされた矩形状の直方体状とされている。
【００４２】
本体部２２は、図７〜図９に示されるように、その外形がブロック状とされており、当該本体部２２には、コネクタ後方側及びコネクタ下方側に開放されて端子部１６の一部が納まる他側キャビティ部としての「キャビティ部２６」が形成されている。このキャビティ部２６は、コネクタ前後方向から見てコネクタ幅方向を長手方向とされた矩形状で、かつコネクタ幅方向から見てコネクタ前方側からコネクタ後方側に向かうに従って拡幅された台形状とされている。
【００４３】
また、本体部２２は、上壁部２２Ａ、前壁部２２Ｂ、側壁部２２Ｃ及び側壁部２２Ｄを含んで構成されている。上壁部２２Ａは、本体部２２におけるキャビティ部２６のコネクタ上方側の部分を構成しており、そのコネクタ幅方向から見た断面形状が台形状とされている。また、前壁部２２Ｂは、本体部２２におけるキャビティ部２６のコネクタ前方側の部分を構成しており、側壁部２２Ｃは、本体部２２におけるキャビティ部２６のコネクタ幅方向一方側の部分を構成しており、側壁部２２Ｄは、本体部２２におけるキャビティ部２６のコネクタ幅方向他方側の部分を構成している。
【００４４】
詳しくは、上壁部２２Ａには、そのコネクタ後方側の端部におけるコネクタ幅方向両端部にカバー部２４の一部が係合される「被係合部２８」が形成されている。この被係合部２８は、上壁部２２Ａのコネクタ後方側の壁面部２２Ａ１からコネクタ前方側に向かって凹んでいると共に、コネクタ上方側に開放されており、基本的にはコネクタ前後方向から見てコネクタ上下方向を長手方向とされた矩形状とされている。また、被係合部２８のコネクタ上方側の部分を構成する上部２８Ａは、そのコネクタ前方側の部分がコネクタ幅方向に拡大されており、当該上部２８Ａは、コネクタ上下方向から見た形状がＴ字状とされている。
【００４５】
さらに、被係合部２８における上部２８Ａよりもコネクタ下方側の部分において、当該被係合部２８のコネクタ幅方向外側の部分を構成する壁面部及び当該被係合部２８のコネクタ幅方向内側の部分を構成する壁面部のそれぞれに凹部３０が形成されている。この凹部３０は、当該凹部３０が設けられた被係合部２８の壁面部に対して当該被係合部２８をコネクタ幅方向に拡幅する方向に凹んでいると共に、コネクタ前後方向から見て当該被係合部２８の内側が開放された矩形状とされている。
【００４６】
また、これらの被係合部２８の間には、複数（端子部１６の本数と同じ数）の凹部３２がコネクタ幅方向に連なって形成されている。そして、上壁部２２Ａには、これらの凹部３２のそれぞれに対して、当該凹部３２と連続し、かつカバー部２４の一部が挿通可能な被挿通部３４と、当該被挿通部３４と連続し、かつ端子部１６の一部が納まる一側キャビティ部としての「キャビティ部３６」とが設けられている。
【００４７】
凹部３２は、コネクタ上方側及びコネクタ後方側に開放されており、コネクタ上下方向から見てコネクタ前後方向を長手方向とされた矩形状とされている。そして、凹部３２の底壁部３２Ａにおけるコネクタ後方側の部分には、被挿通部３４が開口しており、当該底壁部３２Ａの中央部には、当該凹部３２と当該凹部３２のコネクタ下方側に配置されたキャビティ部３６とを連通する溝部３８が開口している。なお、この溝部３８は、コネクタ上下方向に延びており、端子部１６の一部がコネクタ後方側から係止されるようになっている。
【００４８】
被挿通部３４は、上壁部２２Ａがコネクタ上下方向に貫通されて形成されており、そのコネクタ前方側の部分を構成する幅広部３４Ａと、そのコネクタ後方側の部分を構成する幅狭部３４Ｂとを含んで、そのコネクタ上下方向から見た形状がＴ字状とされている。また、被挿通部３４並びに上述した凹部３２は、これらのコネクタ幅方向一方側とこれらのコネクタ幅方向他方側とのそれぞれに互いに対向した状態で配置されて、コネクタ上下方向に延びる仕切り壁部２２Ａ２で仕切られている。
【００４９】
そして、幅広部３４Ａは、コネクタ上下方向から見てコネクタ幅方向一方側の仕切り壁部２２Ａ２からコネクタ幅方向他方側の仕切り壁部２２Ａ２に亘って設けられている。一方、幅狭部３４Ｂは、コネクタ上下方向から見てそのコネクタ幅方向の寸法が、当該幅広部３４Ａのコネクタ幅方向の寸法の半分程度に設定されていると共に、コネクタ後方側が開放されている。
【００５０】
また、それぞれの仕切り壁部２２Ａ２には、対向する仕切り壁部２２Ａ２に向かって凸となって形成されて被挿通部３４の外周部の一部を構成し、かつ被挿通部３４にカバー部２４の一部が挿通されるときのガイドとなる一対のガイド部４０が設けられている。このガイド部４０は、コネクタ上下方向に延びる四角柱状とされており、コネクタ上下方向に間隔Ｓをあけて配置されている。なお、この間隔Ｓと仕切り壁部２２Ａ２同士の間隔Ｔは、後述するようにキャビティ部３６の形状に対応している。
【００５１】
キャビティ部３６は、コネクタ前後方向から見て被挿通部３４の長手方向中央部に位置しており、当該被挿通部３４のコネクタ後方側に面する壁面部３４Ｃからコネクタ前方側に向かって凹んでいる。つまり、キャビティ部３６は、コネクタ後方側に開放された状態とされている。このキャビティ部３６は、コネクタ前後方向から見て長手方向をコネクタ幅方向とされた矩形状とされており、そのコネクタ上下方向の寸法がＨに設定されていると共に、そのコネクタ幅方向の寸法がＷに設定されている。
【００５２】
また、ガイド部４０のコネクタ上下方向の間隔Ｓは、キャビティ部３６の寸法Ｈと同じ長さに設定されており、仕切り壁部２２Ａ２同士の間隔Ｔは、キャビティ部３６の寸法Ｗと同じ長さに設定されている。さらに、キャビティ部３６とキャビティ部２６とは、コネクタ上下方向に延びる溝部４２で連通されており、当該溝部４２には端子部１６の一部がコネクタ後方側から係止されるようになっている。
【００５３】
一方、本体部２２の側壁部２２Ｃ、２２Ｄには、それぞれカバー部２４を係止するための係止部４４が設けられている。この係止部４４は、図１０にも示されるように、コネクタ幅方向から見た形状が、コネクタ下方側からコネクタ上方側に向かうに従って縮幅された台形状のブロック状とされている。また、係止部４４のコネクタ下方側の下面部４４Ａは、コネクタ幅方向及びコネクタ前後方向に沿って延びており、当該係止部４４のコネクタ上方側の上面部４４Ｂは、コネクタ後方下側からコネクタ上方前側に向かって傾斜している。
【００５４】
カバー部２４は、図４〜図６に示されるように、その主な部分を構成するベース部４６、上述した被係合部２８に係合される「係合部４８」及び上述した被挿通部３４に挿通されて上述したキャビティ部３６を閉塞する「閉塞部５０」を含んで構成されている。
【００５５】
ベース部４６は、全体的には、コネクタ前後方向から見てコネクタ幅方向の寸法がコネクタ上下方向の寸法よりも長い矩形の板状とされており、本体部２２の全体をコネクタ後方側から覆っている。このベース部４６のコネクタ幅方向両端部におけるコネクタ下方側の部分には、コネクタ前後方向から見てコネクタ幅方向外側が開放された矩形状の開口部５２が形成されている。
【００５６】
また、ベース部４６における開口部５２のコネクタ下方側には、コネクタ幅方向に延びる延出部４６Ａが設けられており、当該延出部４６Ａのコネクタ前方側の面には、コネクタ後方下側からコネクタ前方上側に向かって傾斜している傾斜面部４６Ａ１が設けられている。なお、延出部４６Ａは、本体部２２の係止部４４に係止されている。
【００５７】
係合部４８は、その主な部分を構成し、かつコネクタ上下方向に延びる挿入部４８Ａと、当該挿入部４８Ａのコネクタ上方側の部分に設けられた規制部４８Ｂと、当該挿入部４８Ａの長手方向中央部に設けられた係止部４８Ｃとを含んで構成されている。
【００５８】
挿入部４８Ａは、その外形が被係合部２８に挿入可能な四角柱状とされていると共に、当該挿入部４８Ａには、コネクタ前後方向から見てコネクタ上下方向に延びる矩形状でかつ当該挿入部４８Ａをコネクタ前後方向に貫通する貫通部５３が形成されている。
【００５９】
規制部４８Ｂは、挿入部４８Ａのコネクタ前方側の部分において、当該挿入部４８Ａのコネクタ幅方向一方側とコネクタ幅方向他方側とに設けられており、コネクタ上下方向に延びる角柱状とされている。つまり、係合部４８における規制部４８Ｂが設けられている部分は、コネクタ上下方向から見た形状がＴ字状とされていると共に、この部分は、被係合部２８の上部２８Ａに係合可能とされている。
【００６０】
係止部４８Ｃは、挿入部４８Ａにおけるコネクタ幅方向一方側とコネクタ幅方向他方側とに設けられており、コネクタ前後方向から見た形状が、挿入部４８Ａに向かう方向に拡幅された台形状のブロック状とされている。そして、係止部４８Ｃは、係合部４８が被係合部２８に係合された状態において、凹部３０のコネクタ上方側の縁部に係止されるようになっている。
【００６１】
また、ベース部４６には、コネクタ前後方向から見て矩形状とされた一対の窓部５４が設けられており、当該窓部５４を介してコネクタ後方側から挿入部４８Ａにおける貫通部５３が形成されている部分と係止部４８Ｃとを視認することが可能となっている。
【００６２】
閉塞部５０は、ベース部４６のコネクタ前方側の面にコネクタ幅方向に複数（端子部１６の本数と同じ数）設けられている。この閉塞部５０は、コネクタ上下方向に延びており、そのコネクタ上下方向から見た形状がＴ字状とされて被挿通部３４に挿通可能とされている。そして、図４にも示されるように、閉塞部５０は、キャビティ部３６のコネクタ後方側に配置されて当該キャビティ部３６をコネクタ後方側から閉塞している。
【００６３】
また、それぞれの閉塞部５０からは、四角柱状の第１リブ部５６がコネクタ下方側に延びており、これらのコネクタ下方側の端部は、コネクタ幅方向に延びる角柱状の接続部５８で繋がれている。そして、接続部５８からは、コネクタ下方側に四角柱状の第２リブ部６０が複数延びている。なお、第１リブ部５６のコネクタ幅方向の寸法Ｕは、ガイド部４０のコネクタ幅方向の間隔Ｖ（図９参照）よりも短い寸法に設定されている。
【００６４】
上記のように構成された本体部２２とカバー部２４とは、第１ハウジング部１２の組み立て時において、まず、カバー部２４の第１リブ部５６が本体部２２のガイド部４０間に嵌め込まれる。そして、カバー部２４が本体部２２に対してスライド移動されることで、閉塞部５０がガイド部４０に案内されつつ被挿通部３４に挿入され、当該被挿通部３４に挿通された状態となる。このとき、カバー部２４の係合部４８も挿入部４８Ａ側から本体部２２の被係合部２８に挿入され、当該カバー部２４は、係止部４８Ｃが凹部３０に係止されるまでスライド移動される。また、カバー部２４がスライド移動する過程において、当該カバー部２４の延出部４６Ａは、本体部２２の係止部４４に当接されて弾性変形して当該係止部４４のコネクタ下方側に変位し、当該係止部４４に係止される。
【００６５】
なお、カバー部２４と本体部２２とのコネクタ前後方向の変位は、係合部４８の規制部４８Ｂが被係合部２８に係合されることで規制されており、カバー部２４と本体部２２とのコネクタ上下方向の変位は、係止部４８Ｃが凹部３０に係止されると共に、延出部４６Ａが係止部４４に係止されることで規制されている。また、カバー部２４が本体部２２に組み付けられた状態において、カバー部２４におけるコネクタ下方側の「端部２４Ａ」の端面２４Ａ１と本体部２２におけるコネクタ下方側の「端部２２Ｅ」の端面２２Ｅ１とは、同一平面状に配置されるようになっている。
【００６６】
一方、第２ハウジング部１４は、図１１に示されるように、第１ハウジング部１２のコネクタ下方側に配置されており、合成樹脂等の絶縁体で構成されている。この第２ハウジング部１４は、図１にも示されるように、端子部１６と一体成形されており、第１ハウジング部１２を支持可能な第１支持部１４Ａと、コネクタ１０全体を基板２０に対して支持可能な「第２支持部１４Ｂ」とを含んで構成されている。なお、第２支持部１４Ｂは、第２ハウジング部１４のコネクタ下方側の端部と見なすこともできる。
【００６７】
詳しくは、第１支持部１４Ａは、コネクタ上下方向から見て、そのコネクタ前後方向の寸法が第１ハウジング部１２のコネクタ前後方向の寸法よりも長い寸法とされ、かつそのコネクタ幅方向の寸法が第１ハウジング部１２のコネクタ幅方向の寸法と同等の寸法に設定された板状とされている。
【００６８】
一方、第２支持部１４Ｂは、第１支持部１４Ａからコネクタ下方側に突出されており、その外形がブロック状、より具体的にはコネクタ上下方向から見た形状が、第１ハウジング部１２をコネクタ上下方向から見た形状と略同一形状とされた直方体状とされている。また、第２支持部１４Ｂのコネクタ下方側の面には、コネクタ前後方向に延びる複数（端子部１６の本数と同じ数）の溝部６２がコネクタ幅方向に連なって形成されており、これらの溝部６２の内側には、それぞれ端子部１６の一部が納まった状態となっている。
【００６９】
ここで、本実施形態では、図１に示されるように、端子部１６の一部が弾性変形することによって第１ハウジング部１２と第２ハウジング部１４とが相対変位可能とされている点に特徴がある。以下、本実施形態の要部を構成する端子部１６の構成について詳細に説明することにする。
【００７０】
端子部１６は、弾性変形可能な金属製の板材が打ち抜き加工された後に曲げ加工されることで形成されている。この端子部１６は、図２及び図３にも示されるように、コネクタ上方側からこの順に配置された「プレスフィット部１６Ａ」、「被支持部１６Ｂ」、「弾性変形部１６Ｃ」、被支持部１６Ｄ及び接続部としての「プレスフィット部１６Ｅ」を含んで構成されている。
【００７１】
プレスフィット部１６Ａは、端子部１６の一方側の端部に設けられていると共に、その先端部を構成する「挿入部１６Ａ１」と、当該挿入部１６Ａ１におけるプレスフィット部１６Ｅ側に当該挿入部１６Ａ１と連続して設けられた「圧入部１６Ａ２」とを備えている。
【００７２】
挿入部１６Ａ１は、そのコネクタ上下方向から見た断面の断面積が、プレスフィット部１６Ａの先端側に向かうに従って小さくなる先細り形状とされており、基板１８の「スルーホール６４」に挿入可能とされている。
【００７３】
圧入部１６Ａ２は、コネクタ前後方向から見て楕円状の所謂ニードルアイ型とされており、基板１８のスルーホール６４に圧入可能とされている。なお、スルーホール６４の内周部及び周縁部には、銅メッキ等で図示しない導電層が形成されており、当該導電層は、基板１８の図示しない回路部と電気的に接続されている。つまり、プレスフィット部１６Ａがスルーホール６４に圧入されることで、端子部１６と基板１８の回路部とが導通されるようになっている。
【００７４】
被支持部１６Ｂは、プレスフィット部１６Ａにおけるプレスフィット部１６Ｅ側に配置されており、コネクタ上下方向に延在する円柱状の連結部１６Ｆを介して当該プレスフィット部１６Ａと連続して設けられている。この被支持部１６Ｂは、コネクタ前後方向から見て矩形の板状に構成されており、第１ハウジング部１２の本体部２２に設けられたキャビティ部３６の内側に納まっている。
【００７５】
また、被支持部１６Ｂは、プレスフィット部１６Ａ側から荷重が入力されたときに、キャビティ部３６のコネクタ下方側（プレスフィット部１６Ｅ側）の「内壁部３６Ａ」で支持されるようになっており、当該内壁部３６Ａは、被支持部１６Ｂの支持部として機能している。さらに、図４に示されるように、被支持部１６Ｂのコネクタ後方側には、第１ハウジング部１２のカバー部２４に設けられた閉塞部５０が配置されており、当該被支持部１６Ｂのコネクタ前後方向の変位が当該閉塞部５０によって規制されている。
【００７６】
図１に戻り、プレスフィット部１６Ｅは、プレスフィット部１６Ａと同様の構成とされて端子部１６の他方側の端部に設けられており、基板２０の「スルーホール６６」にプレスフィット部１６Ａの圧入方向と同じ方向に圧入可能とされている。なお、プレスフィット部１６Ｅを基板２０のスルーホール６６に圧入するときには、基板２０がプレスフィット部１６Ｅ側（コネクタ上方側）に向けて押圧されることとなる。また、基板２０は、基板１８と同様の構成とされており、プレスフィット部１６Ｅがスルーホール６６に圧入されることで、端子部１６と基板２０の図示しない回路部とが導通されるようになっている。
【００７７】
被支持部１６Ｄは、被支持部１６Ｂと同様の構成とされているものの、当該被支持部１６Ｄ及び端子部１６におけるその周辺部は、第２ハウジング部１４に埋め込まれた状態となっている。このため、被支持部１６Ｄに入力されるプレスフィット部１６Ａ側からの荷重は、第２ハウジング部１４における被支持部１６Ｄのコネクタ下方側に位置する中実部で支持されるようになっている。
【００７８】
ここで、本実施形態では、弾性変形部１６Ｃが、被支持部１６Ｂと被支持部１６Ｄとの間に設けられており、当該弾性変形部１６Ｃの弾性変形によってプレスフィット部１６Ａとプレスフィット部１６Ｅとの相対変位が許容されている。以下では、弾性変形部１６Ｃの構成並びに当該弾性変形部１６Ｃによるプレスフィット部１６Ａとプレスフィット部１６Ｅとの相対変位について説明していくことにする。
【００７９】
図２及び図３に示されるように、弾性変形部１６Ｃは、厚さ方向の寸法Ａが幅方向の寸法Ｂよりも短い寸法とされ、かつ複数箇所で屈曲された板状とされている。詳しくは、弾性変形部１６Ｃは、被支持部１６Ｄからコネクタ上方側に向かって板厚方向をコネクタ前後方向とされて延びる一般部１６Ｃ１を備えており、当該一般部１６Ｃ１からはコネクタ前方側に向かって板厚方向をコネクタ上下方向とされて「第１片部１６Ｃ２」が延びている。つまり、第１片部１６Ｃ２の板厚方向は、プレスフィット部１６Ａの圧入方向と同じ方向とされていると共に、当該第１片部１６Ｃ２は、当該圧入方向から見て当該圧入方向と交差する方向に延びている。
【００８０】
また、弾性変形部１６Ｃは、第１片部１６Ｃ２のコネクタ前方側の部分から、その板厚方向をコネクタ前後方向とされてコネクタ上方側に立ち上げられて、コネクタ幅方向他方側でかつコネクタ上方側に向かって延びる変曲部１６Ｃ３を備えている。そして、変曲部１６Ｃ３からは、プレスフィット部１６Ａ側、すなわちコネクタ後方上側に向かって板厚方向をコネクタ幅方向とされて「第２片部１６Ｃ４」が延びている。つまり、第２片部１６Ｃ４は、第１片部１６Ｃ２と変曲部１６Ｃ３を介して連続しており、板厚方向をプレスフィット部１６Ａの圧入方向と直交する方向とされている。
【００８１】
一方、被支持部１６Ｂからは、コネクタ下方側に向かって板厚方向をコネクタ前後方向とされて一般部１６Ｃ５が延びている。そして、弾性変形部１６Ｃにおける一般部１６Ｃ５と第２片部１６Ｃ４との間の部分は、板厚方向が徐変されつつ延びる変曲部１６Ｃ６で構成されている。
【００８２】
上記のように構成された弾性変形部１６Ｃは、プレスフィット部１６Ａにコネクタ前後方向の荷重が入力されると、一般部１６Ｃ１、１６Ｃ５及び第１片部１６Ｃ２が主となって弾性変形し、プレスフィット部１６Ａとプレスフィット部１６Ｅとがコネクタ前後方向に相対変位するようになっている。
【００８３】
また、弾性変形部１６Ｃは、プレスフィット部１６Ａにコネクタ幅方向の荷重が入力されると、第２片部１６Ｃ４が主となって弾性変形し、プレスフィット部１６Ａとプレスフィット部１６Ｅとがコネクタ幅方向に相対変位するようになっている。
【００８４】
さらに、弾性変形部１６Ｃは、プレスフィット部１６Ａに当該プレスフィット部１６Ａの圧入方向回り（コネクタ上下方向回り）のモーメントが入力されると、当該圧入方向から見て、プレスフィット部１６Ａが変曲部１６Ｃ３を中心として回動するように弾性変形するようになっている。なお、この点については、以下で詳細に説明することにする。
【００８５】
なお、弾性変形部１６Ｃは、一般部１６Ｃ１から一般部１６Ｃ５に至るまでにその表裏が逆転しており、換言すれば１８０[°]捻転された状態となっている。これにより、端子部１６の製造工程において歩留まりを向上させることができる。これは、弾性変形部１６Ｃの捻転角度が１８０[°]の整数倍であれば同様である。
【００８６】
また、弾性変形部１６Ｃは、上述した第１ハウジング部１２の本体部２２に設けられたキャビティ部２６に納まっており、当該キャビティ部２６の大きさは、弾性変形部１６Ｃの弾性変形を許容可能な大きさに設定されている。さらに、コネクタ１０の通常状態において、第１ハウジング部１２における本体部２２の端部２２Ｅ及び第１ハウジング部１２におけるカバー部２４の端部２４Ａは、第２ハウジング部１４と当接された状態とされている。なお、弾性変形部１６Ｃの弾性変形による変位量に納まる距離であれば、コネクタ１０の通常状態において、第１ハウジング部１２と第２ハウジング部１４との間に隙間があいていてもよい。
【００８７】
（本実施形態の作用及び効果）
次に、本実施形態の作用及び効果を説明する。
【００８８】
本実施形態では、図１に示されるように、一方側の端部にプレスフィット部１６Ａが設けられていると共に他方側の端部にプレスフィット部１６Ｅが設けられた端子部１６と、第１ハウジング部１２と、第２ハウジング部１４とを備えている。また、第１ハウジング部１２は、端子部１６におけるプレスフィット部１６Ａ側の部分を保持しており、第２ハウジング部１４は、第１ハウジング部１２のプレスフィット部１６Ｅ側に配置されて端子部１６におけるプレスフィット部１６Ｅ側の部分を保持している。
【００８９】
そして、本実施形態では、プレスフィット部１６Ａの圧入部１６Ａ２を基板１８のスルーホール６４に圧入し、基板２０のスルーホール６６にプレスフィット部１６Ｅをプレスフィット部１６Ａの圧入方向と同じ方向に接続することで、これらの基板を互いに対向した状態で導通接続させることができる。
【００９０】
ところで、基板１８と基板２０とをコネクタ１０で接続するにあたって、まず、基板２０のスルーホール６６にプレスフィット部１６Ｅが圧入される。そして、プレスフィット部１６Ａの挿入部１６Ａ１を基板１８のスルーホール６４に挿入して、当該プレスフィット部１６Ａと基板１８との位置合わせが行われる。このとき、基板１８のスルーホール６４の位置が正規の位置からずれた状態になっていると、スルーホール６６にプレスフィット部１６Ａを圧入するときに、端子部１６に負荷がかかることが考えられる。なお、スルーホール６４の位置のずれの要因としては、基板１８の加工精度に起因するものや基板１８の取付精度に起因するもの等が挙げられる。
【００９１】
ここで、本実施形態では、端子部１６におけるプレスフィット部１６Ａとプレスフィット部１６Ｅとの間に弾性変形部１６Ｃが設けられている。そして、弾性変形部１６Ｃが弾性変形することでプレスフィット部１６Ａとプレスフィット部１６Ｅとのプレスフィット部１６Ａの圧入方向と交差する方向の相対変位が許容されている。このため、基板１８のスルーホール６４の位置が正規の位置からずれた状態になっていても、プレスフィット部１６Ａがスルーホール６４の位置に対応してプレスフィット部１６Ｅに対して相対変位することで、プレスフィット部１６Ａの圧入時に端子部１６に負荷がかかることを抑制することができる。
【００９２】
また、本実施形態では、弾性変形部１６Ｃが弾性変形することで第１ハウジング部１２と第２ハウジング部１４とがプレスフィット部１６Ａの圧入方向と交差する方向に相対変位可能とされている。このため、プレスフィット部１６Ａとプレスフィット部１６Ｅとが相対変位しても第１ハウジング部１２及び第２ハウジング部１４による端子部１６の保持状態を維持することができる。
【００９３】
また、本実施形態では、端子部１６におけるプレスフィット部１６Ａのプレスフィット部１６Ｅ側に被支持部１６Ｂが設けられている。一方、第１ハウジング部１２は、プレスフィット部１６Ａ側からの荷重の入力時において、第１ハウジング部１２に設けられたキャビティ部３６の内壁部３６Ａによって被支持部１６Ｂが支持されるようになっている。このため、プレスフィット部１６Ａを基板１８に圧入するときに、基板１８をプレスフィット部１６Ａに向けて押圧する荷重を第１ハウジング部１２の内壁部３６Ａによって支持することができる。
【００９４】
ところで、基板１８をプレスフィット部１６Ａに向けて押圧するとき、第１ハウジング部１２を支持するものがないとプレスフィット部１６Ａを基板１８のスルーホール６４に圧入することができない。つまり、プレスフィット部１６Ａを基板１８のスルーホール６４に圧入するときには、第１ハウジング部１２における基板１８の反対側を例えば治具等で一時的に支持する必要がある。しかしながら、上記のように治具を用いる場合には、当該治具を配置するためのスペースが必要となり、さらには当該治具を配置することによって作業工数が増加することが考えられる。
【００９５】
ここで、本実施形態では、端子部１６の被支持部１６Ｂから第１ハウジング部１２の内壁部３６Ａにプレスフィット部１６Ａ側からの荷重が入力されたときに、第１ハウジング部１２が第２ハウジング部１４に当接可能とされており、第１ハウジング部１２から第２ハウジング部１４に当該荷重を伝達させることができる。また、第２ハウジング部１４の第１ハウジング部１２と反対側の端部、すなわち第２支持部１４Ｂは、第１ハウジング部１２を介してプレスフィット部１６Ａ側からの荷重が入力されたときに、基板２０によって支持可能とされている。
【００９６】
このため、本実施形態では、基板１８をプレスフィット部１６Ａに向けて押圧する荷重を、第１ハウジング部１２及び第２ハウジング部１４を介して基板２０で支持することができる。その結果、本実施形態では、プレスフィット部１６Ａの圧入に治具が必要な構成と比し、配置箇所に対する汎用性を高めることができると共に、作業工数の増加を抑制することができる。
【００９７】
また、本実施形態では、第１ハウジング部１２が、本体部２２とカバー部２４とを含んで構成されており、本体部２２には、プレスフィット部１６Ａの圧入方向と交差する方向に開放されたキャビティ部３６が形成されている。このキャビティ部３６には、端子部１６の被支持部１６Ｂが納まっており、上述したように、キャビティ部３６のプレスフィット部１６Ｅ側の内壁部３６Ａで被支持部１６Ｂが支持されている。一方、カバー部２４は、本体部２２におけるキャビティ部３６が設けられている側を覆っており、カバー部２４には、閉塞部５０が設けられている。この閉塞部５０は、キャビティ部３６をプレスフィット部１６Ａの圧入方向と交差する方向から閉塞しており、閉塞部５０によって被支持部１６Ｂにおけるプレスフィット部１６Ａの圧入方向と交差する方向の変位が規制されている。
【００９８】
このため、本実施形態では、端子部１６におけるプレスフィット部１６Ａ側の部分を第１ハウジング部１２に圧入することなく、当該部分を第１ハウジング部１２に固定することができる。その結果、製造時において、第１ハウジング部１２と第２ハウジング部１４との間に治具を介在させて、当該治具を用いて端子部１６におけるプレスフィット部１６Ａ側の部分を第１ハウジング部１２に圧入するような構成と比し、第１ハウジング部１２と第２ハウジング部１４との間隔を狭めることができる。
【００９９】
ところで、製造時に治具を用いて端子部１６におけるプレスフィット部１６Ａ側の部分を第１ハウジング部１２に圧入するような構成では、第１ハウジング部１２と第２ハウジング部１４との間隔が大きくなる。そして、第１ハウジング部１２と第２ハウジング部１４との間隔が大きいと、プレスフィット部１６Ａを基板１８のスルーホール６４に圧入するときに、第１ハウジング部１２が第２ハウジング部１４に当接するまでの端子部１６における弾性変形部１６Ｃの変形量が大きくなり、弾性変形部１６Ｃが塑性変形することが考えられる。
【０１００】
この点、本実施形態では、第１ハウジング部１２と第２ハウジング部１４との間隔を狭めることで、プレスフィット部１６Ａを基板１８のスルーホール６４に圧入するときに、弾性変形部１６Ｃの変形量を小さくし、ひいては弾性変形部１６Ｃの塑性変形を抑制することができる。
【０１０１】
また、本実施形態では、第１ハウジング部１２にプレスフィット部側からの荷重が入力されたときに、本体部２２の第２ハウジング部１４側の端部２２Ｅ及びカバー部２４の第２ハウジング部１４側の端部２４Ａが、第２ハウジング部１４に当接可能とされている。このため、プレスフィット部１６Ａを基板１８のスルーホール６４に圧入するときに入力される基板１８への押圧力を、第１ハウジング部１２の本体部２２とカバー部２４とに分散させて第２ハウジング部１４に伝達させることができる。
【０１０２】
また、本実施形態では、第１ハウジング部１２のカバー部２４には、係合部４８が形成されており、一方、第１ハウジング部１２の本体部２２には、係合部４８がプレスフィット部１６Ａの圧入方向に係合される被係合部２８が形成されている。そして、係合部４８が被係合部２８に係合されることで本体部２２とカバー部２４とのプレスフィット部１６Ａの圧入方向と交差する方向の変位が規制されている。このため、本実施形態では、端子部１６の弾性変形部１６Ｃが弾性変形することで端子部１６の被支持部１６Ｂが変位してカバー部２４の閉塞部５０を押圧しても、カバー部２４と本体部２２との係合状態を維持することができる。
【０１０３】
また、本実施形態では、端子部１６の弾性変形部１６Ｃが、その厚さ方向の寸法Ａがその幅方向の寸法Ｂよりも短い寸法とされた板状とされている。また、弾性変形部１６Ｃは、そのプレスフィット部１６Ｅ側の部分を構成し、かつプレスフィット部１６Ａの圧入方向から見て当該圧入方向と交差する方向に延びる第１片部１６Ｃ２と、当該第１片部１６Ｃ２と連続し、かつプレスフィット部１６Ａ側に向かって延びる第２片部１６Ｃ４とを含んで構成されている。
【０１０４】
ところで、基板１８のスルーホール６４の位置が正規の位置からずれていた場合、プレスフィット部１６Ａの位置をスルーホール６４の位置に対応させるにあたって、プレスフィット部１６Ａに当該プレスフィット部１６Ａの圧入方向を軸とする捻れが発生することが考えられる。そして、この捻れによって端子部１６に負荷がかかることが考えられる。
【０１０５】
ここで、本実施形態では、第１片部１６Ｃ２が、その厚さ方向をプレスフィット部１６Ａの圧入方向とされており、第２片部１６Ｃ４が、その厚さ方向を当該圧入方向と直交する方向とされている。このため、プレスフィット部１６Ａに入力される当該プレスフィット部１６Ａの圧入方向回りのモーメントに対して、第１片部１６Ｃ２は変形しにくく、第２片部１６Ｃ４は変形しやすくなっており、プレスフィット部１６Ａに当該モーメントが入力されると第１片部１６Ｃ２よりも第２片部１６Ｃ４の方が大きく曲げ変形する。
【０１０６】
その結果、弾性変形部１６Ｃは、プレスフィット部１６Ａの圧入方向回りのモーメントによって、当該プレスフィット部１６Ａの圧入方向から見て、プレスフィット部１６Ａが第１片部１６Ｃ２と第２片部１６Ｃ４との境界部を中心として回動するように弾性変形する。したがって、本実施形態では、プレスフィット部１６Ａに発生する当該プレスフィット部１６Ａの圧入方向を軸とする捻れを、弾性変形部１６Ｃの弾性変形によって吸収することができる。
【０１０７】
加えて、本実施形態では、第１ハウジング部１２の内側に端子部１６の弾性変形部１６Ｃが納まるキャビティ部２６が形成されている。このため、弾性変形部１６Ｃが第１ハウジング部１２によって保護され、作業者の指等による外力によって弾性変形部１６Ｃに負荷がかかることを抑制することができる。また、キャビティ部２６の大きさは、弾性変形部１６Ｃの弾性変形を許容可能な大きさに設定されており、第１ハウジング部１２によって弾性変形部１６Ｃの変形が規制されることを抑制することができる。
【０１０８】
したがって、本実施形態に係るコネクタ１０では、基板１８のスルーホール６４の位置のずれを許容しつつ、互いに対向した状態で配置された一方の基板１８と他方の基板２０とを安定した状態で導通接続させることができる。
【０１０９】
＜第２実施形態＞
以下、図１２を用いて、本発明に係る基板間接続コネクタの第２実施形態について説明する。なお、上述した第１実施形態と同一構成部分については同一番号を付してその説明を省略する。
【０１１０】
本実施形態に係る「コネクタ７０」は、基本的に第１実施形態に係るコネクタ１０と同様の構成とされており、第１ハウジング部１２と同様の構成とされた「ハウジング部７２」を備えているものの、第２ハウジング部１４に対応する構成要素を備えていない点に第１の特徴がある。また、「端子部７４」は、端子部１６と同様に、「プレスフィット部７４Ａ」及び「弾性変形部７４Ｂ」を備えているものの、被支持部１６Ｄ及びプレスフィット部１６Ｅの代わりに接続部としての「リード部７４Ｃ」が設けられている点に第２の特徴がある。
【０１１１】
具体的には、リード部７４Ｃは、端子部７４の他方側の端部に設けられており、基板２０のスルーホール６６にプレスフィット部７４Ａの圧入方向と同じ方向に挿通されて基板２０に半田付けされることで、当該基板２０で保持されるようになっている。つまり、本実施形態では、端子部７４がＤＩＰやＳＭＴに対応可能とされている。なお、図１２には、端子部７４の構成を理解し易くするため、基板１８、２０を図示していない。
【０１１２】
このような構成によれば、端子部７４におけるプレスフィット部７４Ａとリード部７４Ｃとの間に設けられた弾性変形部７４Ｂが弾性変形することでプレスフィット部７４Ａとリード部７４Ｃとのプレスフィット部７４Ａの圧入方向と交差する方向の相対変位が許容されている。このため、基板１８のスルーホール６４の位置が正規の位置からずれた状態になっていても、プレスフィット部７４Ａがスルーホール６４の位置に対応してリード部７４Ｃに対して相対変位することで、プレスフィット部７４Ａの圧入時に端子部７４に負荷がかかることを抑制することができる。また、本実施形態では、このように弾性変形部７４Ｂが弾性変形することで、ハウジング部７２を基板２０に対して相対変位させることができる。
【０１１３】
＜上記実施形態の補足説明＞
（１）  上述した第１実施形態では、コネクタ１０の他方側の端部にプレスフィット部１６Ｅが設けられていたが、コネクタ１０が使用される箇所等に応じて、プレスフィット部１６Ｅの代わりにリード部７４Ｃを設ける構成としてもよい。
【０１１４】
（２）  また、上述した第１実施形態では、弾性変形部１６Ｃの変形によって第１ハウジング部１２と第２ハウジング部１４とがプレスフィット部１６Ａの圧入方向と直交する方向に相対変位可能とされていたが、これに限らない。すなわち、第１ハウジング部１２及び第２ハウジング部１４の構成等に応じて、弾性変形部１６Ｃをプレスフィット部１６Ａの圧入方向と交差する上記以外の方向に第１ハウジング部１２と第２ハウジング部１４とを相対変位可能とする構成としてもよい。
【０１１５】
（３）  さらに、上述した実施形態では、第１ハウジング部１２及びハウジング部７２が２つの部材で構成されていたが、これに限らない。すなわち、コネクタ１０、７０が配置される箇所に応じて、第１ハウジング部１２と端子部１６とを一体成形するような構成としてもよいし、ハウジング部７２と端子部７４とを一体成形するような構成としてもよい。
【符号の説明】
【０１１６】
１０      コネクタ
１２      第１ハウジング部
１４      第２ハウジング部
１４Ｂ    第２支持部（第２ハウジング部の第１ハウジング部と反対側の端部）
１６      端子部
１６Ａ    プレスフィット部
１６Ａ１  挿入部
１６Ａ２  圧入部
１６Ｂ    被支持部
１６Ｃ    弾性変形部
１６Ｃ２  第１片部
１６Ｃ４  第２片部
１６Ｅ    プレスフィット部（接続部）
１８      一方の基板
２０      他方の基板
２２      本体部
２２Ａ    端部
２４      カバー部
２４Ａ    端部
２６      キャビティ部（他側キャビティ部）
２８      被係合部
３６      キャビティ部（一側キャビティ部）
３６Ａ    内壁部（支持部）
４８      係合部
５０      閉塞部
６４      スルーホール
６６      スルーホール
７０      コネクタ
７２      ハウジング部
７４      端子部
７４Ａ    プレスフィット部
７４Ｂ    弾性変形部
７４Ｃ    リード部
【図１】
2019021414.tif 000003
【図２】
2019021414.tif 000004
【図３】
2019021414.tif 000005
【図４】
2019021414.tif 000006
【図５】
2019021414.tif 000007
【図６】
2019021414.tif 000008
【図７】
2019021414.tif 000009
【図８】
2019021414.tif 000010
【図９】
2019021414.tif 000011
【図１０】
2019021414.tif 000012
【図１１】
2019021414.tif 000013
【図１２】
2019021414.tif 000014
【手続補正書】
【提出日】平成30年8月6日(2018.8.6)
【手続補正１】
【補正対象書類名】明細書
【補正対象項目名】０００７
【補正方法】変更
【補正の内容】
【０００７】
第一の態様に係る基板間接続コネクタは、一方側の端部に設けられ、一方の基板のスルーホールに挿入可能な挿入部と当該挿入部と連続して設けられて当該スルーホールに圧入可能な圧入部とを含んで構成されたプレスフィット部と、他方側の端部に設けられ、他方の基板のスルーホールに当該圧入部の圧入方向と反対方向に接続可能とされた接続部と、を備えた端子部と、前記端子部における前記プレスフィット部側の部分を保持する第１ハウジング部と、前記第１ハウジング部の前記接続部側に配置されて前記端子部における当該接続部側の部分を保持する第２ハウジング部と、を備え、前記端子部における前記プレスフィット部と前記接続部との間には、弾性変形することで当該プレスフィット部と当該接続部との前記圧入方向と交差する方向の相対変位を許容する弾性変形部が設けられており、当該弾性変形部が弾性変形することで前記第１ハウジング部と前記第２ハウジング部とが前記圧入方向と交差する方向に相対変位可能とされている。
【手続補正２】
【補正対象書類名】明細書
【補正対象項目名】０００９
【補正方法】変更
【補正の内容】
【０００９】
そして、本態様では、プレスフィット部の圧入部を一方の基板のスルーホールに圧入し、他方の基板のスルーホールに接続部を当該圧入部の圧入方向と反対方向に接続することで、これらの基板を互いに対向した状態で導通接続させることができる。
【手続補正３】
【補正対象書類名】明細書
【補正対象項目名】００２５
【補正方法】変更
【補正の内容】
【００２５】
第五の態様に係る基板間接続コネクタは、第三の態様又は第四の態様において、前記カバー部には、係合部が形成され、前記本体部には、前記係合部が前記圧入方向又は当該圧入方向と反対方向に挿入されて係合される被係合部が形成されており、前記係合部が前記被係合部に係合されることで前記本体部と前記カバー部との前記圧入方向と交差する方向の変位が規制されている。
【手続補正４】
【補正対象書類名】明細書
【補正対象項目名】００２６
【補正方法】変更
【補正の内容】
【００２６】
第五の態様に係る基板間接続コネクタでは、第１ハウジング部のカバー部には、係合部が形成されており、一方、第１ハウジング部の本体部には、当該係合部がプレスフィット部の圧入方向又は当該圧入方向と反対方向に係合される被係合部が形成されている。そして、係合部が被係合部に係合されることで本体部とカバー部とのプレスフィット部の圧入方向と交差する方向の変位が規制されている。このため、本態様では、端子部の弾性変形部が弾性変形することで当該端子部の被支持部が変位してカバー部の閉塞部を押圧しても、当該カバー部と本体部との係合状態を維持することができる。
【手続補正５】
【補正対象書類名】明細書
【補正対象項目名】００３４
【補正方法】変更
【補正の内容】
【００３４】
第八の態様に係る基板間接続コネクタは、一方側の端部に設けられ、一方の基板のスルーホールに挿入可能な挿入部と当該挿入部と連続して設けられて当該スルーホールに圧入可能な圧入部とを含んで構成されたプレスフィット部と、他方側の端部に設けられ、他方の基板のスルーホールに当該プレスフィット部の圧入方向と反対方向に挿通されて当該他方の基板に半田付け可能とされたリード部と、を備えた端子部と、前記端子部における前記プレスフィット部側の部分を保持するハウジング部と、を備え、前記端子部における前記プレスフィット部と前記リード部との間には、弾性変形することで当該プレスフィット部と当該リード部との前記圧入方向と交差する方向の相対変位を許容する弾性変形部が設けられている。
【手続補正６】
【補正対象書類名】明細書
【補正対象項目名】００３５
【補正方法】変更
【補正の内容】
【００３５】
第八の態様に係る基板間接続コネクタは、第一の態様に係る基板間接続コネクタと基本的に同様の作用を奏するものの、以下の点で異なっている。すなわち、本態様では、端子部の一方側の端部に一方の基板のスルーホールに圧入可能なプレスフィット部が設けられており、当該端子部における当該プレスフィット部側の部分がハウジング部で保持されている。一方、端子部の他方側の端部には、リード部が設けられており、当該リード部は、他方の基板のスルーホールにプレスフィット部の圧入方向と反対方向に挿通されて当該他方の基板に半田付けされることで、当該他方の基板で保持されるようになっている。
【手続補正７】
【補正対象書類名】明細書
【補正対象項目名】００７６
【補正方法】変更
【補正の内容】
【００７６】
図１に戻り、プレスフィット部１６Ｅは、プレスフィット部１６Ａと同様の構成とされて端子部１６の他方側の端部に設けられており、基板２０の「スルーホール６６」にプレスフィット部１６Ａの圧入方向と反対方向に圧入可能とされている。なお、プレスフィット部１６Ｅを基板２０のスルーホール６６に圧入するときには、基板２０がプレスフィット部１６Ｅ側（コネクタ上方側）に向けて押圧されることとなる。また、基板２０は、基板１８と同様の構成とされており、プレスフィット部１６Ｅがスルーホール６６に圧入されることで、端子部１６と基板２０の図示しない回路部とが導通されるようになっている。
【手続補正８】
【補正対象書類名】明細書
【補正対象項目名】００８９
【補正方法】変更
【補正の内容】
【００８９】
そして、本実施形態では、プレスフィット部１６Ａの圧入部１６Ａ２を基板１８のスルーホール６４に圧入し、基板２０のスルーホール６６にプレスフィット部１６Ｅをプレスフィット部１６Ａの圧入方向と反対方向に接続することで、これらの基板を互いに対向した状態で導通接続させることができる。
【手続補正９】
【補正対象書類名】明細書
【補正対象項目名】０１０２
【補正方法】変更
【補正の内容】
【０１０２】
また、本実施形態では、第１ハウジング部１２のカバー部２４には、係合部４８が形成されており、一方、第１ハウジング部１２の本体部２２には、係合部４８がプレスフィット部１６Ａの圧入方向又は当該圧入方向と反対方向に係合される被係合部２８が形成されている。そして、係合部４８が被係合部２８に係合されることで本体部２２とカバー部２４とのプレスフィット部１６Ａの圧入方向と交差する方向の変位が規制されている。このため、本実施形態では、端子部１６の弾性変形部１６Ｃが弾性変形することで端子部１６の被支持部１６Ｂが変位してカバー部２４の閉塞部５０を押圧しても、カバー部２４と本体部２２との係合状態を維持することができる。
【手続補正１０】
【補正対象書類名】明細書
【補正対象項目名】０１１１
【補正方法】変更
【補正の内容】
【０１１１】
具体的には、リード部７４Ｃは、端子部７４の他方側の端部に設けられており、基板２０のスルーホール６６にプレスフィット部７４Ａの圧入方向と反対方向に挿通されて基板２０に半田付けされることで、当該基板２０で保持されるようになっている。つまり、本実施形態では、端子部７４がＤＩＰやＳＭＴに対応可能とされている。なお、図１２には、端子部７４の構成を理解し易くするため、基板１８、２０を図示していない。
【手続補正１１】
【補正対象書類名】特許請求の範囲
【補正対象項目名】全文
【補正方法】変更
【補正の内容】
【特許請求の範囲】
【請求項１】
一方側の端部に設けられ、一方の基板のスルーホールに挿入可能な挿入部と当該挿入部と連続して設けられて当該スルーホールに圧入可能な圧入部とを含んで構成されたプレスフィット部と、他方側の端部に設けられ、他方の基板のスルーホールに当該プレスフィット部の圧入方向と反対方向に接続可能とされた接続部と、を備えた端子部と、
前記端子部における前記プレスフィット部側の部分を保持する第１ハウジング部と、
前記第１ハウジング部の前記接続部側に配置されて前記端子部における当該接続部側の部分を保持する第２ハウジング部と、
を備え、
前記端子部における前記プレスフィット部と前記接続部との間には、弾性変形することで当該プレスフィット部と当該接続部との前記圧入方向と交差する方向の相対変位を許容する弾性変形部が設けられており、当該弾性変形部が弾性変形することで前記第１ハウジング部と前記第２ハウジング部とが前記圧入方向と交差する方向に相対変位可能とされている、
基板間接続コネクタ。
【請求項２】
前記端子部における前記プレスフィット部の前記接続部側には、当該プレスフィット部側からの荷重の入力時に前記第１ハウジング部に形成された支持部によって支持される被支持部が設けられており、
前記第１ハウジング部は、前記被支持部から前記支持部に前記荷重が入力されたときに前記第２ハウジング部に当接可能とされており、
前記第２ハウジング部の前記第１ハウジング部と反対側の端部は、当該第１ハウジング部側から前記荷重が入力されたときに前記他方の基板によって支持可能とされている、
請求項１に記載の基板間接続コネクタ。
【請求項３】
前記第１ハウジング部は、前記被支持部が納まり、かつ前記圧入方向と交差する方向に開放された一側キャビティ部が形成された本体部と、当該本体部における当該一側キャビティ部が設けられている側を覆うカバー部と、を含んで構成され、
前記一側キャビティ部における前記接続部側の内壁部が前記支持部とされており、
前記カバー部には、前記一側キャビティ部を前記圧入方向と交差する方向から閉塞し、前記被支持部の当該圧入方向と交差する方向の変位を規制する閉塞部が設けられている、
請求項２に記載の基板間接続コネクタ。
【請求項４】
前記本体部の前記第２ハウジング部側の端部及び前記カバー部の当該第２ハウジング部側の端部は、前記第１ハウジング部に前記荷重が入力されたときに前記第２ハウジング部に当接可能とされている、
請求項３に記載の基板間接続コネクタ。
【請求項５】
前記カバー部には、係合部が形成され、
前記本体部には、前記係合部が前記圧入方向又は当該圧入方向と反対方向に挿入されて係合される被係合部が形成されており、
前記係合部が前記被係合部に係合されることで前記本体部と前記カバー部との前記圧入方向と交差する方向の変位が規制されている、
請求項３又は請求項４に記載の基板間接続コネクタ。
【請求項６】
前記弾性変形部は、厚さ方向の寸法が幅方向の寸法よりも短い寸法とされた板状とされており、
前記弾性変形部は、前記接続部側を構成し、かつ厚さ方向を前記圧入方向とされて当該圧入方向から見て当該圧入方向と交差する方向に延びる第１片部と、当該第１片部と連続し、かつ厚さ方向を当該圧入方向と直交する方向とされて前記プレスフィット部側に向かって延びる第２片部と、を含んで構成されている、
請求項１〜請求項５の何れか１項に記載の基板間接続コネクタ。
【請求項７】
前記第１ハウジング部の内側には、前記弾性変形部が納まる他側キャビティ部が形成されており、
前記他側キャビティ部の大きさは、前記弾性変形部の弾性変形を許容可能な大きさに設定されている、
請求項１〜請求項６の何れか１項に記載の基板間接続コネクタ。
【請求項８】
一方側の端部に設けられ、一方の基板のスルーホールに挿入可能な挿入部と当該挿入部と連続して設けられて当該スルーホールに圧入可能な圧入部とを含んで構成されたプレスフィット部と、他方側の端部に設けられ、他方の基板のスルーホールに当該プレスフィット部の圧入方向と反対方向に挿通されて当該他方の基板に半田付け可能とされたリード部と、を備えた端子部と、
前記端子部における前記プレスフィット部側の部分を保持するハウジング部と、
を備え、
前記端子部における前記プレスフィット部と前記リード部との間には、弾性変形することで当該プレスフィット部と当該リード部との前記圧入方向と交差する方向の相対変位を許容する弾性変形部が設けられている、
基板間接続コネクタ。